(57)【要約】【課題】電波の回り込みによるアンテナ間の干渉を首尾よく防止すること。【解決手段】アンテナ（２ａ、２ｂ）、除去帯域が可変である可変帯域フィルタ部（４ａ、４ｂ）、送受信回路（５ａ、５ｂ）、送受信回路（５ａ、５ｂ）に使用周波数帯を設定する送受信周波数設定部（１１）、並びに、各フィルタ部（４ａ、４ｂ）が特定の送受信回路（５ｂ、５ａ）の使用周波数帯を除去するように制御する除去周波数設定部（１２）を備えた通信装置（１０）。【選択図】図１
2016046548.tif 000002
【特許請求の範囲】
【請求項１】
第１及び第２アンテナ、
第１及び第２アンテナの各々により送受信される信号を夫々処理する第１及び第２送受信部、
第１アンテナと第１送受信部との間、及び、第２アンテナと第２送受信部との間に夫々介設され、除去帯域が可変である第１及び第２帯域除去フィルタ部、
第１及び第２送受信部に互いに異なる使用周波数帯を設定する設定手段、並びに
第１帯域除去フィルタ部が第２送受信部の使用周波数帯を除去し、第２帯域除去フィルタ部が第１送受信部の使用周波数帯を除去するように、第１及び第２帯域除去フィルタ部を制御する制御手段
を備えることを特徴とする通信装置。
【請求項２】
第１送受信部及び第２送受信部の各々が上記信号を処理しているか否かを判定する処理判定手段を更に備え、
上記処理判定手段が、第１及び第２送受信部のうち一方の送受信部のみが上記信号を処理していると判定した場合、上記制御手段は、当該一方の送受信部に接続される帯域除去フィルタ部の除去帯域を、当該一方の送受信部の使用周波数帯から所定値以上離れた周波数帯に移動させることを特徴とする請求項１に記載の通信装置。
【請求項３】
第１及び第２送受信部の各々が上記信号を処理しているか否かを判定する処理判定手段、並びに
上記処理判定手段が、第１及び第２送受信部のうち一方の送受信部のみが上記信号を処理していると判定した場合に、当該一方の送受信部を、対応する帯域除去フィルタ部をバイパスさせて対応するアンテナに接続させるバイパス制御手段
を更に備えることを特徴とする請求項１に記載の通信装置。
【請求項４】
上記処理判定手段に替えて、第１送受信部及び第２送受信部の各々の通信品質が所定の基準を満たすか否かを判定する品質判定手段を備え、
上記一方の送受信部は、上記品質判定手段が、第１及び第２送受信部のうち一方の送受信部のみの通信品質が所定の基準を満たすと判定した場合の、当該一方の送受信部であることを特徴とする請求項２又は３に記載の通信装置。
【請求項５】
第１及び第２アンテナ、
第１アンテナにより送信される信号を処理する送信部、
第２アンテナにより受信される信号を処理する受信部、
第１アンテナと上記送信部との間、及び、第２アンテナと上記受信部との間に夫々介設され、除去帯域が可変である第１及び第２帯域除去フィルタ部、
第１及び第２送受信部に互いに異なる使用周波数帯を設定する設定手段、並びに
第１帯域除去フィルタ部が第２送受信部の使用周波数帯を除去し、第２帯域除去フィルタ部が第１送受信部の使用周波数帯を除去するように、第１及び第２帯域除去フィルタ部を制御する制御手段
を備えることを特徴とする通信装置。
【発明の詳細な説明】
【技術分野】
【０００１】
本発明は、通信装置に関し、特に、複数のアンテナを備えた通信装置に関する。
【背景技術】
【０００２】
従来、基地局と子機との間で無線信号を中継する通信装置等、複数のアンテナを有する通信装置においては、各アンテナに指向性を持たせ、互いにヌル点を向けるようにすることでアンテナ間のアイソレーションを確保している。例えば、特許文献１に記載の技術では、基地局方向に強い指向性を有する受信アンテナ及び送信アンテナを、基地局方向とは直交する方向に並設することで、互いのアンテナ間の結合を軽減している。
【先行技術文献】
【特許文献】
【０００３】
【特許文献１】特開平８−２９８４８５号公報（１９９６年１１月１２日公開）
【発明の概要】
【発明が解決しようとする課題】
【０００４】
しかしながら、従来技術において、アンテナの指向性が不十分である場合、送信アンテナから受信アンテナへ電波の回り込みが生じ、アンテナ間の干渉が生じるおそれがある。特に、同一の通信システムにおいて使用される周波数帯内に夫々設定されたチャンネルによって送受信が行われる場合等、送受信のための使用周波数帯が近接している場合、この問題は顕著となる。
【０００５】
特許文献１に記載の技術では、受信アンテナ及び送信アンテナには、搬送波を透過するパンドパスフィルタが設けられている。しかし、本発明者らの独自の知見によれば、バンドパスフィルタでは、上述した電波の回り込みによるアンテナ間の干渉を首尾よく遮断することは困難である。なぜなら、バンドパスフィルタの透過帯域が広ければ、送信のための使用周波数帯における電波の回り込みの遮断が不十分となり、バンドパスフィルタの透過帯域が狭ければ、受信のための使用周波数帯の切り替わりへの対応が困難となるという問題が生じるからである。
【０００６】
本発明は、上記課題に鑑みてなされたものであり、電波の回り込みによるアンテナ間の干渉を首尾よく防止するための技術を提供することを主たる目的とする。
【課題を解決するための手段】
【０００７】
上記課題を解決するために、本発明の一態様に係る通信装置は、第１及び第２アンテナ、第１及び第２アンテナの各々により送受信される信号を夫々処理する第１及び第２送受信部、第１アンテナと第１送受信部との間、及び、第２アンテナと第２送受信部との間に夫々介設され、除去帯域が可変である第１及び第２帯域除去フィルタ部、第１及び第２送受信部に互いに異なる使用周波数帯を設定する設定手段、並びに第１帯域除去フィルタ部が第２送受信部の使用周波数帯を除去し、第２帯域除去フィルタ部が第１送受信部の使用周波数帯を除去するように、第１及び第２帯域フィルタ部を制御する制御手段を備える。
【発明の効果】
【０００８】
本発明の一態様によれば、電波の回り込みによるアンテナ間の干渉を首尾よく防止することができるという効果を奏する。
【図面の簡単な説明】
【０００９】
【図１】本発明の実施形態１に係る通信装置の構成を示すブロック図である。
【図２】本発明の実施形態１に係る可変帯域フィルタ部の構成例を示す図である。
【図３】本発明の実施形態１において、一方の送受信回路が出力した高周波信号の周波数特性の一例と、当該高周波信号が他方の送受信回路に入力された時の周波数特性の一例とを重ねて示すグラフである。
【図４】本発明の実施形態２に係る通信装置の構成を示すブロック図である。
【図５】本発明の実施形態３に係る通信装置の構成を示すブロック図である。
【発明を実施するための形態】
【００１０】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１１】
以下の実施形態では、本発明に係る通信装置として、無線中継装置として実現した場合について説明するが、本発明はこれに限定されない。本発明は、アンテナ、可変フィルタ及び無線回路を含む無線ブロックを二組以上備える通信装置一般に適用することができ、より好ましくは、各無線ブロックが、同一の通信システムに用いられる帯域内に設定された互いに異なるチャンネル（使用周波数帯）を使用して通信を行う通信装置一般に適用することができる。また、各無線ブロックは、同一の筐体内に格納されていることがより好ましい。
【００１２】
〈装置の構成と概要〉
まず、本実施形態に係る通信装置の構成について、図１を参照して説明する。図１は、本実施形態に係る通信装置１０の構成を示すブロック図である。通信装置１０は、基地局及び子機と通信する中継局であって、基地局と他の基地局との間、及び、基地局と子機との間の無線通信を中継する装置である。通信装置１０は、制御部１、チャンネルＡ送受信ブロック（無線ブロック）６、及び、チャンネルＢ送受信ブロック（無線ブロック）７を同一筺体内に備える。
【００１３】
チャンネルＡ送受信ブロック６は、アンテナ２ａ（第１アンテナ）、整合回路３ａ、可変帯域フィルタ部４ａ（第１帯域除去フィルタ）、及び、送受信回路５ａ（第１送受信部）を備える。アンテナ２ａは、基地局又は子機との間で無線信号を送受信する。整合回路３ａは、アンテナ２ａのインピーダンスを、接続される送受信回路５ａが使用する周波数帯に適したインピーダンスに整合させる。
【００１４】
可変帯域フィルタ部４ａは、整合回路３ａと、送受信回路５ａとの間に介設され、除去帯域の信号を除去し、それ以外の周波数帯の信号を透過させる除去帯域が可変な帯域除去フィルタである。可変帯域フィルタ部４ａの構成例について、図２を参照して説明する。図２は、本実施形態に係る可変帯域フィルタ部４ａの構成例を示す図である。
【００１５】
図２の（ａ）に示すように、可変帯域フィルタ部４ａを、可変ノッチフィルタ素子によって構成してもよい。また、図２の（ｂ）に示すように、可変帯域フィルタ部４ａを、可変容量のコンデンサ及びコイルを並列接続した共振回路によって構成してもよい。また、図２の（ｃ）に示すように、可変帯域フィルタ部４ａを、互いに異なる周波数帯の信号を除去するノッチフィルタ素子を複数並設し、スイッチにより、そのとき使用するノッチフィルタ素子に切り替えるように構成してもよい。
【００１６】
送受信回路５ａは、例えば、通信モジュールとして構成され、アンテナ２ａにより送受信される高周波信号の処理（Ａ／Ｄ変換、Ｄ／Ａ変換、変復調、多重化／分離など）を行
う回路である。送受信回路５ａは、送受信回路５ａに設定された使用周波数帯（チャンネルＡ）に属する高周波信号の送信処理及び受信処理を行う。
【００１７】
チャンネルＢ送受信ブロック７は、アンテナ２ｂ（第２アンテナ）、整合回路３ｂ、可変帯域フィルタ部４ｂ（第２帯域除去フィルタ部）、及び、送受信回路５ｂ（第２送受信部）を備える。各構成要素の機能は、上述の、チャンネルＡ送受信ブロック６の対応する構成要素の機能と同様であり、説明を省略する。
【００１８】
〈周波数設定処理〉
図１に示すように、制御部１は、機能ブロックとして、送受信周波数設定部１１（設定手段）及び除去周波数設定部１２（制御手段）を備える。送受信周波数設定部１１は、互いに異なる周波数帯ｆＡ及び周波数帯ｆＢを決定し、周波数帯ｆＡを送受信回路５ａが使用する使用周波数帯（チャンネルＡ）として設定し、周波数帯ｆＢを送受信回路５ｂが使用する使用周波数帯（チャンネルＢ）として設定する。換言すれば、送受信周波数設定部１１は、通信装置１０が使用する通信システムにおいて使用される周波数帯ｆＢａｎｄ内の周波数帯ｆＡ及び周波数帯ｆＢを、チャンネルＡ送受信ブロック６及びチャンネルＢ送受信ブロック７にそれぞれ割当てる。
【００１９】
除去周波数設定部１２は、各可変帯域フィルタ部４ａ、４ｂに対して、異なる無線ブロックに属する送受信回路（可変帯域フィルタ部４ａに対する送受信回路５ｂ、及び可変帯域フィルタ部４ｂに対する送受信回路５ａ）に設定された使用周波数帯を除去するように制御する。本実施形態において、除去周波数設定部１２は、送受信周波数設定部１１が送受信回路５ａに設定した周波数帯ｆＡを可変帯域フィルタ部４ｂの除去帯域として設定する。また、送受信周波数設定部１１が送受信回路５ｂに設定した周波数帯ｆＢを可変帯域フィルタ部４ａの除去周波数帯として設定する。
【００２０】
図３は、送受信回路５ａ（送信部）が出力した高周波信号の周波数特性の一例（破線）と、当該高周波信号が送受信回路５ｂ（受信部）に入力された時の周波数特性の一例（実線）とを重ねて示すグラフである。
【００２１】
図３の破線に示すように、送受信回路５ａが出力した高周波信号には、チャンネルＢ（周波数帯ｆＢ）の成分が含まれている。そのため、送受信回路５ａが出力した高周波信号が、アンテナ２ａ及びアンテナ２ｂを介して、送受信回路５ｂに回り込むと、送受信回路５ｂが処理する信号におけるノイズフロアが上昇し、送受信回路５ｂが処理する信号のＣ／Ｎが劣化してしまう。
【００２２】
ここで、本実施形態では、送受信回路５ａが出力した高周波信号は、可変帯域フィルタ部４ａによって周波数帯ｆＢが除去されるようになっている。そして、アンテナ２ｂによって受信された高周波信号は、可変帯域フィルタ部４ｂにおいて周波数帯ｆＡが除去されるようになっている。そのため、送受信回路５ｂに回り込んだ送受信回路５ａ由来の高周波信号は、図３の実線に示すように、周波数帯ｆＡ及びｆＢにおいて、受信レベルが低減している。これにより、送受信回路５ｂが処理する信号におけるノイズフロアを低減し、送受信回路５ｂが処理する信号のＣ／Ｎを改善することができる。
【００２３】
このように、本実施形態によれば、チャンネルＡ送受信ブロック６の可変帯域フィルタ部４ａは、送信信号におけるチャンネルＢの送信レベル（送信信号の裾野レベル）を低下させるとともに、受信信号におけるチャンネルＢの受信レベル（チャンネルＢ送受信ブロック７から回り込む高周波信号の強入力レベル）を低下させることができる。また、チャンネルＢ送受信ブロック７の可変帯域フィルタ部４ｂは、送信信号におけるチャンネルＡの送信レベル（送信信号の裾野レベル）を低下させるとともに、受信信号におけるチャン
ネルＡの受信レベル（チャンネルＡ送受信ブロック６から回り込む高周波信号の強入力レベル）を低下させることができる。
【００２４】
これにより、他方の無線ブロックから回り込む受信信号の強入力レベル（他方の無線ブロックの使用周波数帯）及び裾野レベル（自無線ブロックの使用周波数帯）の両方を低減させることができる。すなわち、アンテナ間の干渉を低減することができる。
【００２５】
なお、バンドパスフィルタを用いて従来技術では、バンドパスフィルタの透過帯域が広ければ、送信のための使用周波数帯における電波の回り込みの遮断が不十分となり、バンドパスフィルタの透過帯域が狭ければ、受信のための使用周波数帯の切り替わりへの対応が困難となるという問題が生じる。一方、本実施形態によれば、アンテナ間のアイソレーションを確保できるとともに、除去帯域が可変である急峻な帯域除去フィルタを用いて回り込み信号を柔軟に遮断することができ、受信のための使用周波数帯の切り替わりへの対応も容易となる。
【００２６】
また、本実施形態によれば、各アンテナの指向性をブロードにしたとしても、可変帯域フィルタ部４ａおよび４ｂにより、各アンテナの指向性をブロードにしたことによるアンテナ間アイソレーションの劣化を補償し、Ｃ／Ｎ比を確保することができるため、各アンテナの指向性をブロードにすることが可能となり、通信装置の配置の自由度が増加する。
【００２７】
特に、無線中継局の自局内干渉は、送信可能な電力に影響するので基地局間距離に直結する。そのため、従来例では指向性を絞って干渉を低減している。しかしながら、例えば小型の無線中継局などの場合、３次元的な配置自由度を待たせることが効率的な局配置のために必要となる。本実施形態によれば、指向性を絞らなくてもアンテナ間の干渉の低減が可能であるので、局の配置自由度を増加させることができる。
【００２８】
なお、チャンネルＡ送受信ブロック６を送信専用とし、チャンネルＢ送受信ブロック７を受信専用としてもよい。換言すれば、送受信部５ａは、少なくとも送信信号を処理するものであり、送受信部５ｂは、少なくとも受信信号を処理するものである構成であってもよい。このような構成であっても、アンテナ２ａからアンテナ２ｂへの電波の回り込みに起因するアンテナ間の干渉を抑制することができる。
【００２９】
〔実施形態２〕
次に、本発明の実施形態２に係る通信装置１０ａについて説明する。本発明の実施形態２に係る通信装置１０ａは、送受信回路５ａ及び５ｂの各々が信号を処理しているか否かを判定する送受信判定部（処理判定手段）１３を更に備え、送受信判定部１３が、送受信回路５ａおよび５ｂのうち一方の送受信回路のみが信号を処理していると判定した場合、除去周波数設定部１２は、当該一方の送受信部に接続される帯域除去フィルタ部の除去帯域を、当該一方の送受信部の使用周波数帯から所定値以上離れた周波数帯に移動させる点において、実施形態１に係る通信装置１０と異なっている。
【００３０】
なお、一方の送受信部の使用周波数帯から所定値以上離れた周波数帯とは、当該周波数帯の中心周波数が、一方の送受信部の使用周波数帯の中心周波数に対して、送受信しているチャンネルの帯域幅（ｆＡ、ｆＢ）以上離れていることを示す。
【００３１】
より好ましくは、除去周波数設定部１２は、上記除去帯域を、通信装置１０ａが使用する通信システムにおいて使用される周波数帯ｆＢａｎｄの（ｉ）上記使用周波数帯から離れている方の帯域端、または（ｉｉ）帯域外に移動させる。
【００３２】
本実施形態に係る通信装置１０ａの構成について、図４を参照して説明する。図４は、
本実施形態に係る通信装置１０ａの構成を示すブロック図である。図４に示すように、通信装置１０ａは、図１の通信装置１０の構成に対して、送受信判定部１３が追加された制御部１ａを備える。
【００３３】
制御部１ａの送受信判定部１３は、送受信回路５ａ及び５ｂが送受信信号の処理を行っているか否かの判定を行い、その判定結果を除去周波数設定部１２に出力する。次に、チャンネルＢの送受信回路５ｂに関する判定結果に応じた、除去周波数設定部１２の処理を説明する。
【００３４】
除去周波数設定部１２は、上記判定結果から、送受信回路５ａが送受信信号の処理を行っており、送受信回路５ｂが送受信信号の処理を行っていないときには、送受信回路５ａに設定された周波数帯ｆＡから所定値以上離れた帯域を、除去帯域として、可変帯域フィルタ部４ａに設定する。また、除去周波数設定部１２は、上記判定結果から、送受信回路５ａが送受信信号の処理を行っておらず、送受信回路５ｂが送受信信号の処理を行っているときには、送受信回路５ｂに設定された周波数帯ｆＢから所定値以上離れた帯域を、除去帯域として、可変帯域フィルタ部４ｂに設定する。
【００３５】
送受信回路５ａ及び５ｂのうち、一方の送受信回路が信号の処理を行っていないときは、当該一方の送受信回路に対する他方の送受信回路由来の信号の影響を考慮する必要はない。そこで、他方の送受信回路に接続された可変帯域フィルタ部が除去する周波数帯を、他方の送受信回路の使用周波数帯から所定値以上離れた周波数帯に移動させる。これにより、上記他方の送受信回路に接続された帯域除去フィルタが、上記他方の送受信回路の使用周波数帯の信号をほとんど透過させるようにすることができるので、透過損失を低減し、信号のＣ／Ｎ比を確保することができる。
【００３６】
（変形例）
なお、送受信判定部（品質判定手段）１３は、送受信回路５ａ及び５ｂのＣ／Ｎ比が基準を満たしているか否か（所定値以上か否か）、すなわち、通信品質が良好であるか否かを判定し、その判定結果を除去周波数設定部１２に出力してもよい。
【００３７】
この場合、除去周波数設定部１２は、上記判定結果から、送受信回路５ａにおける通信品質が所定の基準を満たさず、送受信回路５ｂにおける通信品質が所定の基準を満たしているときには、送受信回路５ａに設定された周波数帯ｆＡから所定値以上離れた帯域を、除去帯域として、可変帯域フィルタ部４ａに設定する。また、除去周波数設定部１２は、上記判定結果から、送受信回路５ａにおける通信品質が所定の基準を満たし、送受信回路５ｂにおける通信品質が所定の基準を満たさないときには、送受信回路５ｂに設定された周波数帯ｆＢから所定値以上離れた帯域を、除去帯域として、可変帯域フィルタ部４ｂに設定する。
【００３８】
送受信回路５ａ及び５ｂのうち、一方の送受信回路の通信品質が十分に高いときは、当該一方の送受信回路に対する他方の送受信回路由来の信号の影響を考慮する必要はない。そこで、他方の送受信回路に接続された可変帯域フィルタ部が除去する周波数帯を、他方の送受信回路の使用周波数帯から所定値以上離れた周波数帯に移動させる。これにより、上記他方の送受信回路に接続された帯域除去フィルタが、上記他方の送受信回路の使用周波数帯の信号をほとんど透過させるようにすることができるので、透過損失を低減し、信号のＣ／Ｎ比を確保することができる。
【００３９】
〔実施形態３〕
次に、本発明の実施形態３に係る通信装置１０ｂについて説明する。本発明の実施形態３に係る通信装置１０ｂは、送受信回路５ａ及び５ｂの各々が信号を処理しているか否か
を判定する送受信判定部１３、並びに送受信判定部１３が、送受信回路５ａ及び５ｂのうち一方の送受信回路のみが信号を処理していると判定した場合に、当該一方の送受信回路を、対応する帯域除去フィルタ部をバイパスさせて対応するアンテナに接続させるバイパス経路設定部１４を更に備えるものである点が、実施形態１と異なっている。
【００４０】
本実施形態に係る通信装置１０ｂの構成について、図５を参照して説明する。図５は、本実施形態に係る通信装置１０ｂの構成を示すブロック図である。図５に示すように、通信装置１０ｂは、図１の通信装置１０の構成に対して、送受信判定部（処理判定手段、品質判定手段）１３及びバイパス経路設定部１４（バイパス制御手段）が追加された制御部１ａ、フィルタ経路４１ｃ及びバイパス経路４２ｃが追加された可変帯域フィルタ部４ｃ（第１帯域除去フィルタ部）、並びに、フィルタ経路４１ｄ及びバイパス経路４２ｄが追加された可変帯域フィルタ部４ｄ（第２帯域除去フィルタ部）を備える。
【００４１】
制御部１ｂの送受信判定部１３は、送受信回路５ａ及び５ｂが送受信信号の処理を行っているか否かの判定を行い、その判定結果を除去周波数設定部１２及びバイパス経路設定部１４に出力する。なお、送受信判定部１３は、送受信回路５ａ及び５ｂのＣ／Ｎ比が所定値以上か否か、すなわち、通信品質が良好であるか否かを判定し、その判定結果を除去周波数設定部１２及びバイパス経路設定部１４に出力してもよい。
【００４２】
上記判定結果に応じた、除去周波数設定部１２の処理は、実施形態１と同様である。
【００４３】
バイパス経路設定部１４は、上記判定結果から、送受信回路５ａが送受信信号の処理を行っており、送受信回路５ｂが送受信信号の処理を行っていないときには、可変帯域フィルタ部４ｃに対して、フィルタ経路４１ｃからバイパス経路４２ｃに切り替えるように指示する。なお、可変帯域フィルタ部４ｃ自体をバイパスして、整合回路３ａ及び送受信回路５ａを直結してもよい。また、バイパス経路設定部１４は、上記判定結果から、送受信回路５ａが送受信信号の処理を行っておらず、送受信回路５ｂが送受信信号の処理を行っているには、可変帯域フィルタ部４ｄに対して、フィルタ経路４１ｄからバイパス経路４２ｄに切り替えるように指示する。なお、可変帯域フィルタ部４ｄ自体をバイパスして、整合回路３ｂ及び送受信回路５ｂを直結してもよい。
【００４４】
送受信回路５ａ及び５ｂのうち、一方の送受信部が信号の処理を行っていないときは、当該一方の送受信回路に対する他方の送受信回路由来の信号の影響を考慮する必要はない。そこで、他方の送受信回路について、対応する帯域可変フィルタ部をバイパスさせてアンテナに接続させることにより、透過損失を低減し、信号のＣ／Ｎ比を確保することができる。
【００４５】
（変形例）
なお、送受信判定部（品質判定手段）１３は、送受信回路５ａ及び５ｂのＣ／Ｎ比が基準を満たしているか否か（所定値以上か否か）、すなわち、通信品質が良好であるか否かを判定し、その判定結果を除去周波数設定部１２に出力してもよい。
【００４６】
この場合、バイパス経路設定部１４は、上記判定結果から、送受信回路５ａにおける通信品質が所定の基準を満たさず、送受信回路５ｂにおける通信品質が所定の基準を満たしているときには、可変帯域フィルタ部４ｃに対して、フィルタ経路４１ｃからバイパス経路４２ｃに切り替えるように指示する。なお、可変帯域フィルタ部４ｃ自体をバイパスして、整合回路３ａ及び送受信回路５ａを直結してもよい。また、バイパス経路設定部１４は、上記判定結果から、送受信回路５ａにおける通信品質が所定の基準を満たし、送受信回路５ｂにおける通信品質が所定の基準を満たさないときには、可変帯域フィルタ部４ｄに対して、フィルタ経路４１ｄからバイパス経路４２ｄに切り替えるように指示する。な
お、可変帯域フィルタ部４ｄ自体をバイパスして、整合回路３ｂ及び送受信回路５ｂを直結してもよい。
【００４７】
送受信回路５ａ及び５ｂのうち、一方の送受信回路の通信品質が十分に高いときは、当該一方の送受信回路に対する他方の送受信回路由来の信号の影響を考慮する必要はない。そこで、他方の送受信回路について、対応する帯域可変フィルタ部をバイパスさせてアンテナに接続させることにより、透過損失を低減し、信号のＣ／Ｎ比を確保することができる。
【００４８】
〔ソフトウェアによる実現例〕
図１、４、５に示す制御部１の各機能ブロックは、集積回路（ＩＣチップ）等に形成された論理回路（ハードウェア）によって実現してもよいし、ＣＰＵ（Central Processing
Unit）を用いてソフトウェアによって実現してもよい。
【００４９】
後者の場合、制御部１は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５０】
〔まとめ〕
本発明の態様１に係る通信装置は、第１及び第２アンテナ（アンテナ２ａ、２ｂ）、第１及び第２アンテナの各々により送受信される信号を夫々処理する第１及び第２送受信部（送受信回路５ａ、５ｂ）、第１アンテナと第１送受信部との間、及び、第２アンテナと第２送受信部との間に夫々介設され、除去帯域が可変である第１及び第２帯域除去フィルタ部（可変帯域フィルタ部４ａ〜４ｄ）、第１及び第２送受信部に互いに異なる使用周波数帯を設定する設定手段（送受信周波数設定部１１）、並びに第１帯域除去フィルタ部が第２送受信部の使用周波数帯を除去し、第２帯域除去フィルタ部が第１送受信部の使用周波数帯を除去するように、第１及び第２帯域除去フィルタ部を制御する制御手段（除去周波数設定部１２）を備える。
【００５１】
上記の構成によれば、（ｉ）第１送受信部が出力し、第１アンテナから放射される信号は、第１帯域除去フィルタ部によって第２送受信部の使用周波数帯が低減されており、（ｉｉ）第２アンテナが受信した信号は、第２帯域除去フィルタ部によって第１送受信部の使用周波数帯が低減された状態で第２受信部に入力されるため、（ｉｉｉ）第１及び第２アンテナを回り込んで第２送受信部に入力される第１送受信部由来の信号における、第１送受信部の使用周波数帯における強入力レベル、および、第２送受信部の使用周波数帯における裾野レベルを低減することができる。同様に、（ｉ）第２送受信部が出力し、第２アンテナから放射される信号は、第２帯域除去フィルタ部によって第１送受信部の使用周波数帯が低減されており、（ｉｉ）第１アンテナが受信した信号は、第１帯域除去フィルタ部によって第２送受信部の使用周波数帯が低減された状態で第１受信部に入力されるため、（ｉｉｉ）第１及び第２アンテナを回り込んで第１送受信部に入力される第２送受信部由来の信号における、第２送受信部の使用周波数帯における強入力レベル、および、第１送受信部の使用周波数帯における裾野レベルを低減することができる。これにより、電
波の回り込みによるアンテナ間の干渉を首尾よく防止することができる。
【００５２】
本発明の態様２に係る通信装置は、上記態様１において、第１送受信部及び第２送受信部の各々が上記信号を処理しているか否かを判定する処理判定手段（送受信判定部１３）を更に備え、上記処理判定手段が、第１及び第２送受信部のうち一方の送受信部のみが上記信号を処理していると判定した場合、上記制御手段は、当該一方の送受信部に接続される帯域除去フィルタ部の除去帯域を、当該一方の送受信部の使用周波数帯から所定値以上離れた周波数帯に移動させるものであってもよい。
【００５３】
上記の構成によれば、第１送受信部及び第２送受信部のうち、一方の送受信部が信号の処理を行っていないときは、当該一方の送受信部に対する他方の送受信部由来の信号の影響を考慮する必要はない。そこで、他方の送受信部に接続された帯域除去フィルタ部が除去する周波数帯を、他方の送受信部の使用周波数帯から所定値以上離れた周波数帯に移動させる。これにより、上記他方の送受信部に接続された帯域除去フィルタが、上記他方の送受信部の使用周波数帯の信号をほとんど透過させるようにすることができるので、透過損失を低減し、信号のＣ／Ｎ比を確保することができる。
【００５４】
本発明の態様３に係る通信装置は、上記態様１において、第１及び第２送受信部の各々が上記信号を処理しているか否かを判定する処理判定手段、並びに上記処理判定手段が、第１及び第２送受信部のうち一方の送受信部のみが上記信号を処理していると判定した場合に、当該一方の送受信部を、対応する帯域除去フィルタ部をバイパスさせて対応するアンテナに接続させるバイパス制御手段（バイパス経路設定部１４）を更に備えるものであってもよい。
【００５５】
上記の構成によれば、第１送受信部及び第２送受信部のうち、一方の送受信部が信号の処理を行っていないときは、当該一方の送受信部に対する他方の送受信部由来の信号の影響を考慮する必要はない。そこで、他方の送受信部について、帯域除去フィルタ部をバイパスさせてアンテナに接続させることにより、透過損失を低減し、信号のＣ／Ｎ比を確保することができる。
【００５６】
本発明の態様４に係る通信装置は、上記態様２、３において、上記処理判定手段に替えて、第１送受信部及び第２送受信部の各々の通信品質が所定の基準を満たすか否かを判定する品質判定手段（送受信判定部１３）を備え、上記一方の送受信部が、上記品質判定手段が、第１及び第２送受信部のうち一方の送受信部のみの通信品質が所定の基準を満たすと判定した場合の、当該一方の送受信部であるものであってもよい。
【００５７】
上記の構成によれば、第１送受信部及び第２送受信部のうち、一方の送受信部の通信品質が十分に高いときは、当該一方の送受信部に対する他方の送受信部由来の信号の影響を考慮する必要はない。そこで、他方の送受信部に接続された帯域除去フィルタ部が除去する周波数帯を、他方の送受信部の使用周波数帯から所定値以上離れた周波数帯に移動させる。これにより、上記他方の送受信部に接続された帯域除去フィルタが、上記他方の送受信部の使用周波数帯の信号をほとんど透過させるようにすることができるので、透過損失を低減し、信号のＣ／Ｎ比を確保することができる。
【００５８】
また、第１送受信部及び第２送受信部のうち、一方の送受信部の通信品質が十分に高いときは、当該一方の送受信部に対する他方の送受信部由来の信号の影響を考慮する必要はない。そこで、他方の送受信部について、帯域除去フィルタ部をバイパスさせてアンテナに接続させることにより、透過損失を低減し、信号のＣ／Ｎ比を確保することができる。
【００５９】
本発明の態様５に係る通信装置は、第１及び第２アンテナ、第１アンテナにより送信さ
れる信号を処理する送信部、第２アンテナにより受信される信号を処理する受信部、第１アンテナと上記送信部との間、及び、第２アンテナと上記受信部との間に夫々介設され、除去帯域が可変である第１及び第２帯域除去フィルタ部、第１及び第２送受信部に互いに異なる使用周波数帯を設定する設定手段、並びに第１帯域除去フィルタ部が第２送受信部の使用周波数帯を除去し、第２帯域除去フィルタ部が第１送受信部の使用周波数帯を除去するように、第１及び第２帯域除去フィルタ部を制御する制御手段を備えるものであってもよい。
【００６０】
上記の構成によれば、（ｉ）送信部が出力し、第１アンテナから放射される信号は、第１帯域除去フィルタ部によって受信部の使用周波数帯が低減されており、（ｉｉ）第２アンテナが受信した信号は、第２帯域除去フィルタ部によって送信部の使用周波数帯が低減された状態で受信部に入力されるため、（ｉｉｉ）第１及び第２アンテナを回り込んで受信部に入力される送信部由来の信号における、送信部の使用周波数帯における強入力レベル、および、受信部の使用周波数帯における裾野レベルを低減することができる。これにより、電波の回り込みによるアンテナ間の干渉を首尾よく防止することができる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。更に、各実施形態にそれぞれ開示された技術的手段を組み合わせることにより、新しい技術的特徴を形成することができる。
【産業上の利用可能性】
【００６２】
本発明は、２つのアンテナを備えた通信装置に利用することができる。
【符号の説明】
【００６３】
１  制御部
２ａ、２ｂ  アンテナ（第１アンテナ、第２アンテナ）
４ａ、４ｂ、４ｃ、４ｄ  可変帯域フィルタ部（第１帯域除去フィルタ部、第２帯域除去フィルタ部）
５ａ、５ｂ  送受信回路（送信部、受信部、第１送受信部、第２送受信部）
１０、１０ａ、１０ｂ  通信装置
１１  送受信周波数設定部（設定手段）
１２  除去周波数設定部（制御手段）
１３  送受信判定部（処理判定手段、品質判定手段）
１４  バイパス経路設定部（バイパス制御手段）
【図１】
2016046548.tif 000003
【図２】
2016046548.tif 000004
【図３】
2016046548.tif 000005
【図４】
2016046548.tif 000006
【図５】
2016046548.tif 000007